【手続補正書】
【提出日】平成15年8月15日(2003.8.15)
【手続補正１】
【補正対象書類名】明細書
【補正対象項目名】特許請求の範囲
【補正方法】変更
【補正の内容】
【特許請求の範囲】
【請求項１】
パチンコ遊技に関して総括的な制御を行うための処理実行手段としてのメインＣＰＵが配備されたメイン制御基板と、単一のサブＣＰＵが配備された図柄表示用制御基板とを備え、前記メインＣＰＵと前記サブＣＰＵとは、前記メインＣＰＵから前記サブＣＰＵに向けて一方向通信が可能に接続されており、前記メインＣＰＵから前記サブＣＰＵに図柄表示装置制御コマンドを送信し、
液晶表示装置により構成された特別図柄表示装置と、ＬＥＤにより構成された普通図柄表示装置とを前記図柄表示用制御基板に配備した前記サブＣＰＵにより表示制御することを特徴とするパチンコ遊技機。
【請求項２】
前記図柄表示装置制御コマンドは、前記特別図柄表示装置を制御する特別図柄表示装置制御コマンドと、前記普通図柄表示装置を制御する普通図柄表示装置制御コマンドであることを特徴とする請求項１に記載のパチンコ遊技機。
【請求項３】
前記メインＣＰＵは、前記特別図柄表示装置の表示態様を変化させる時のみ前記特別図柄表示装置制御コマンドを送信し、前記普通図柄表示装置の表示態様を変化させる時のみ前記普通図柄表示装置制御コマンドを送信するコマンド送信タイミングを有することを特徴とする請求項２に記載のパチンコ遊技機。
【請求項４】
前記サブＣＰＵには、受信した前記図柄表示装置制御コマンドの内容が、前記普通図柄表示装置を制御指令する前記普通図柄表示装置制御コマンドであるか、前記特別図柄表示装置を制御指令する前記特別図柄表示装置制御コマンドであるかを判別し、前記特別図柄表示装置若しくは前記普通図柄表示装置の制御を開始させる特別図柄・普通図柄制御指令判別処理手段が設けられていることを特徴とする請求項２又は３に記載のパチンコ遊技機。
【手続補正２】
【補正対象書類名】明細書
【補正対象項目名】０００８
【補正方法】変更
【補正の内容】
【０００８】
【課題を解決するための手段】
請求項１に記載のパチンコ遊技機は、上記課題を解決するために、パチンコ遊技に関して総括的な制御を行うための処理実行手段としてのメインＣＰＵが配備されたメイン制御基板と、単一のサブＣＰＵが配備された図柄表示用制御基板とを備え、前記メインＣＰＵと前記サブＣＰＵとは、前記メインＣＰＵから前記サブＣＰＵに向けて一方向通信が可能に接続されており、前記メインＣＰＵから前記サブＣＰＵに図柄表示装置制御コマンドを送信し、液晶表示装置により構成された特別図柄表示装置と、ＬＥＤにより構成された普通図柄表示装置とを前記図柄表示用制御基板に配備した前記サブＣＰＵにより表示制御することを特徴とする。
請求項２に記載のパチンコ遊技機は、請求項１に記載のものにおいて、前記図柄表示装置制御コマンドは、前記特別図柄表示装置を制御する特別図柄表示装置制御コマンドと、前記普通図柄表示装置を制御する普通図柄表示装置制御コマンドであることを特徴とするものである。また、請求項３に記載のパチンコ遊技機は、請求項２に記載のものにおいて、前記メインＣＰＵは、前記特別図柄表示装置の表示態様を変化させる時のみ前記特別図柄表示装置制御コマンドを送信し、前記普通図柄表示装置の表示態様を変化させる時のみ前記普通図柄表示装置制御コマンドを送信するコマンド送信タイミングを有することを特徴とするものである。さらに、請求項４に記載のパチンコ遊技機は、請求項２又は３に記載のものにおいて、前記サブＣＰＵには、受信した前記図柄表示装置制御コマンドの内容が、前記普通図柄表示装置を制御指令する前記普通図柄表示装置制御コマンドであるか、前記特別図柄表示装置を制御指令する前記特別図柄表示装置制御コマンドであるかを判別し、前記特別図柄表示装置若しくは前記普通図柄表示装置の制御を開始させる特別図柄・普通図柄制御指令判別処理手段が設けられていることを特徴とするものである。
【手続補正３】
【補正対象書類名】明細書
【補正対象項目名】００１７
【補正方法】変更
【補正の内容】
【００１７】
図３に示すように、遊技盤面中央に配備された図柄表示ユニット２においては、普通図柄表示装置４の左側方と右側方とに２個ずつ普通図柄表示装置４の図柄変動の入賞記憶を個数点灯により表示する記憶数表示ＬＥＤ３０が配設されている。また、特別図柄表示装置３の上縁に沿って、特別図柄表示装置３の図柄変動の入賞記憶を個数点灯により表示する４個の記憶数表示ＬＥＤ３１が配設されている。さらに、図柄表示ユニット２の上部寄りの左側と右側とには、それぞれ飾りＬＥＤ（Ｇ１，Ｇ２，Ｇ３）が配設され、特別図柄表示装置３の左側縁と右側縁とに沿って、飾りＬＥＤ（Ｈ１，Ｈ２，Ｈ３，Ｈ４）がそれぞれ配設されている。


【手続補正４】
【補正対象書類名】明細書
【補正対象項目名】００３０
【補正方法】変更
【補正の内容】
【００３０】
図６は、メイン制御装置３７（メインＣＰＵ）からサブ制御装置３８（サブＣＰＵ）に対して送られる図柄表示装置制御コマンドの送信タイミングを示すタイミングチャートである。メインＣＰＵは、特別図柄表示装置３の表示態様を変化させる時と普通図柄表示装置４の表示態様を変化させる時にのみ図柄表示装置制御コマンドを送信する。


【手続補正５】
【補正対象書類名】明細書
【補正対象項目名】００３１
【補正方法】変更
【補正の内容】
【００３１】
図柄表示装置制御コマンドは、コマンドデータ１（１バイト）とコマンドデータ２（１バイト）との１コマンド２バイトで構成されており、７本のパラレル信号（ＤＡＴＡ０〜ＤＡＴＡ６）と１本のコントロール信号（ＳＴＢ信号）により送信する。図６に示すように、コマンドデータ１、コマンドデータ２の順で１バイトずつ送出すると共に、コマンドデータ１及びコマンドデータの送出タイミングに合わせてＳＴＢ信号をオンする。


【手続補正６】
【補正対象書類名】明細書
【補正対象項目名】００３３
【補正方法】変更
【補正の内容】
【００３３】
なお、図６では、特別図柄表示装置制御コマンドの次に続いて普通図柄表示装置制御コマンドを送出している例を示している。しかしながら、必ずしも特別図柄表示装置制御コマンドの次に続いて普通図柄表示装置制御コマンドを送出するとは限らず、特別図柄→特別図柄→普通図柄→特別図柄→特別図柄→特別図柄→普通図柄のような場合もある。即ち、前述したように、特別図柄表示装置３の表示態様を変化させる時に特別図柄表示装置制御コマンドが送信され、普通図柄表示装置４の表示態様を変化させる時に普通図柄表示装置制御コマンドが送信される。


【手続補正７】
【補正対象書類名】明細書
【補正対象項目名】００４４
【補正方法】変更
【補正の内容】
【００４４】
パチンコ球が図柄作動口６に入賞すると、特別図柄表示装置３の左特別図柄、中特別図柄、右特別図柄が同時に変動を開始する。なお、特別図柄表示装置３の図柄変動に関わるパチンコ球の図柄作動口６への入賞記憶は、最高４個までであり、その記憶状態が図３の記憶数表示ＬＥＤ３１により個数点灯される。特別図柄表示装置３が図柄の変動を開始してから約５．４秒以上経過すると、左特別図柄、右特別図柄、中特別図柄の順序で図柄が停止する。但し、普通図柄表示装置４における当り発生に関わる確率が高確率モード時に、図柄作動口６への入賞記憶によって変動を開始した場合には、特別図柄表示装置３が図柄の変動を開始してから約０．９秒以上経過すると、左特別図柄、右特別図柄、中特別図柄の順序で図柄が停止する。このように、高確率モード時に、図柄作動口６への入賞記憶によって変動を開始した場合、特別図柄表示装置３が図柄の変動を開始してから確定停止するまでの変動時間の短縮が行われる。


【手続補正８】
【補正対象書類名】明細書
【補正対象項目名】００５３
【補正方法】変更
【補正の内容】
【００５３】
なお、特別図柄表示装置制御コマンドの送信タイミングは図６に示したとおりである。また、特別図柄表示装置３の表示に変化がない場合、メインＣＰＵは、そのまま制御コマンド送信処理を終了する。


【手続補正９】
【補正対象書類名】明細書
【補正対象項目名】００６０
【補正方法】変更
【補正の内容】
【００６０】
また、上記の構成によらずメイン制御装置３７から送信された制御コマンドを特別図柄・普通図柄制御指令判別手段によらず、制御コマンドラインを複数系統設け、普通図柄表示装置４と特別図柄表示装置３とをそれぞれ別のコマンドラインにより、特別図柄表示装置３には特別図柄表示装置用の制御コマンドを、普通図柄表示装置４には普通図柄表示装置用の制御コマンドをサブＣＰＵにより指令する特別図柄表示装置・普通図柄表示装置制御コマンド併行指令手段を設ける構成としてもよい（図２０参照）。


【手続補正１０】
【補正対象書類名】明細書
【補正対象項目名】００６３
【補正方法】変更
【補正の内容】
【００６３】
受信した図柄表示装置制御コマンドのコマンドデータ１の値が前述した１５種類の１６進数の値のうちの何れかに一致している場合に、受信した制御コマンドが特別図柄表示装置３に関係する制御コマンドであると判別される。


【手続補正１１】
【補正対象書類名】明細書
【補正対象項目名】符号の説明
【補正方法】変更
【補正の内容】
【符号の説明】
１  遊技盤面
２  図柄表示ユニット
３  特別図柄表示装置
４  普通図柄表示装置
５  入賞装置
６  図柄作動口
７  入賞ユニット
８  可動扉
９  大入賞口
１０  左ゲート
１１  右ゲート
１２  左袖入賞口
１３  右袖入賞口
１４  左袖下入賞口
１５  右袖下入賞口
１６  左落し入賞口
１７  右落し入賞口
１８  天入賞口
１９  特定領域
２０  表示ランプ
２１  表示ランプ
２２  飾りＬＥＤ
２３  左装飾ＬＥＤ装置
２４  右装飾ＬＥＤ装置
２５  球レール
２６  飾りＬＥＤ
２７  飾りＬＥＤ
２８  払出しランプ
２９  球切れランプ
３０  記憶数表示ＬＥＤ
３１  記憶数表示ＬＥＤ
３２  左特別図柄
３３  中特別図柄
３４  右特別図柄
３５  表示ランプ
３６  ランプ付き風車
３７  メイン制御装置
３８  サブ制御装置
３９  スイッチ入力回路
４０  ドライバ
４１  ドライバ
４２  音声制御装置
４３  スピーカ
４４  表示用ドライバ
４５  図柄表示用制御基板
４６  表示用ドライバ
ＳＷ１  ゲート通過検出スイッチ
ＳＷ２  ゲート通過検出スイッチ
ＳＷ３  図柄作動口入賞検出スイッチ
ＳＷ４  大入賞口入賞検出スイッチ
ＳＷ５  特定領域通過検出スイッチ
ＳＯＬ１  ソレノイド
ＳＯＬ２  ソレノイド
Ｊ１〜Ｊ８  飾りＬＥＤ
Ｇ１〜Ｇ３  飾りＬＥＤ
Ｈ１〜Ｈ４  飾りＬＥＤ
Ｍ１〜Ｍ３  飾りＬＥＤ
Ｎ１〜Ｎ３  飾りＬＥＤなお、請求項１に記載の要件に関わる補正事項に対応する根拠は、願書に最初に添付した明細書（以下、原明細書という）における次の記載箇所です。「パチンコ遊技に関して総括的な制御を行うための処理実行手段としてのメインＣＰＵが配備されたメイン制御基板と、単一のサブＣＰＵが配備された図柄表示用制御基板とを備え、」は、段落００２０、段落００２６及び図５の記載に基いています。「前記メインＣＰＵと前記サブＣＰＵとは、前記メインＣＰＵから前記サブＣＰＵに向けて一方向通信が可能に接続されており、前記メインＣＰＵから前記サブＣＰＵに図柄表示装置制御コマンドを送信し、」は、段落００２１、図５の記載に基いています。新たに追加した請求項２に記載の要件については、段落００２７の記載に基いています。また、請求項３に記載の要件については、段落００３０〜段落００３３及び図６の記載に基いています。請求項４に記載の要件については、段落００５９の記載に基いています。